(57)【要約】【課題】撮影空間からの喫煙等による発煙をいち早く発見できるとともに、撮影時の照明状態に支障を来さない写真撮影装置を提供する。【解決手段】少なくとも撮影手段６を備えた筐体１と、筐体１の被写体２側に配置された区画部材３と、天井部材４ａと、側壁部材４ｄと、出入口の遮蔽部材５ａとによって形成された撮影空間３１と、撮影空間３１の常灯照明装置１７と、被写体２を撮影するときの撮影照明装置７とを含んで構成された写真撮影装置であって、撮影空間３１と天井部材４ａの上側空間とを連通状態とする排煙・入射光制限部材２３が天井部に設けられている。これにより、撮影空間３１からの喫煙等による煙が、上記排煙・入射光制限部材２３から上方に立ち昇るのをいち早く目視でき、その後直ちに安全措置を講じることができる。【選択図】図１
2004233509.tif 000002
【特許請求の範囲】
【請求項１】
少なくとも被写体を撮影する撮影手段を備えた筐体と、上記筐体の被写体側に配置された区画部材と、筐体と上記区画部材の間の上部に配置された天井部材と、筐体と区画部材の間の横側部に設けられた側壁部材と、上記側壁部材に設けられた出入口の遮蔽部材とによって形成された撮影空間と、
上記撮影空間を常時照明する常灯照明装置と、
上記撮影手段で被写体を撮影するときに発光する撮影照明装置とを含んで構成された写真撮影装置であって、
上記撮影空間と天井部材の上側空間とを連通状態とする排煙・入射光制限部材が天井部に設けられていることを特徴とする写真撮影装置。
【請求項２】
上記排煙・入射光制限部材は、撮影空間の幅方向に沿って平行に配列された複数の長尺な傾斜板で構成され、上記傾斜板は所定の間隔で配列されることにより通気空間が形成されている請求項１記載の写真撮影装置。
【請求項３】
上記傾斜板は、上記撮影手段に近い側が低くなるように傾斜している請求項２記載の写真撮影装置。
【請求項４】
上記傾斜板の傾斜角度および幅寸法は、写真撮影装置の上側から照射された照明光を上記撮影手段に直接照射させない角度および幅寸法とされている請求項２または３記載の写真撮影装置。
【請求項５】
上記傾斜板は、撮影空間の上側に着脱可能な状態で配置された結合部材に取付けられている請求項２〜４のいずれか一項に記載の写真撮影装置。
【請求項６】
上記傾斜板は、開閉可能な構造である請求項２〜５のいずれか一項に記載の写真撮影装置。
【請求項７】
上記傾斜板の外表面は光を吸収しやすい表面状態とされ、内表面は光を反射しやすい表面状態とされている請求項２〜６のいずれか一項に記載の写真撮影装置。
【請求項８】
上記傾斜板の長手方向に略直交する方向で見た断面が、屈曲形状である請求項２〜７のいずれか一項に記載の写真撮影装置。
【請求項９】
上記傾斜板の長手方向に略直交する方向で見た断面が、湾曲形状である請求項２〜７のいずれか一項に記載の写真撮影装置。
【請求項１０】
上記排煙・入射光制限部材に沿わせてネット状部材が配置してある請求項１〜９のいずれか一項に記載の写真撮影装置。
【請求項１１】
上記傾斜板は、その長さ方向が略水平面内において任意の方向に変向できるように構成されている請求項２〜１０のいずれか一項に記載の写真撮影装置。
【請求項１２】
上記撮影空間に消火剤を噴射するスプリンクラーが設けられている請求項１〜１１のいずれか一項に記載の写真撮影装置。
【請求項１３】
外側部に火災報知器が設けられている請求項１〜１２のいずれか一項に記載の写真撮影装置。
【請求項１４】
上記スプリンクラー，火災発生のセンサー，火災報知器等の各作動電源あるいはこれらのうちのいずれかの作動電源を、写真撮影装置の稼動用電源の通電状態にかかわらず常時通電状態とした請求項１３記載の写真撮影装置。
【発明の詳細な説明】
【０００１】
【発明の属する技術分野】
本発明は、被写体を撮影する撮影空間の内外を連通させるとともに、外部からの入射光による撮影等への影響を最小化する写真撮影装置に関するものである。
【０００２】
【従来の技術】
近年、ゲームセンター等において、写真を撮影してシールプリント等にする写真自販機が数多く設置されている。このような写真自販機としては、一般に、図１５に示すようなものが用いられている。このものは、内部および前面に各種の装置が設けられた筐体５０と、上記筐体５０の上下から被写体Ｍの背後まで達するように突き出された骨材５１とを備えている。上側の骨材５１には、柔軟な合成樹脂製の膜状材料や薄い板材等からなるシート状の部材が、天井部材として取付けてある。
【０００３】
そして、上記両骨材５１の先端部分に、壁板５２が配置され、必要に応じてその前側に撮影の際の背景となるカーテン５３が吊設され、上記筐体５０，骨材５１，壁板５２で囲まれた空間が、被写体Ｍの撮影領域すなわち撮影用ブース（撮影空間）５４を形成している。なお、図示していないが、撮影用ブース５４の横側には、側壁部材とそこに設けた出入口とこの出入口に取付けたカーテンが配置されている。上側の骨材５１には、撮影用ブース内の被写体Ｍを照射する２つのライト５５が取り付けられている。
【０００４】
上記筐体５０の内部には、被写体Ｍを撮影するカメラ５６が設けられている。上記筐体５０のカメラ５６の被写体Ｍ側に位置する面には、ガラス・プラスティック等の透明板５７が嵌め込まれている。また、上記筐体５０の内部には、上記カメラ５６から画像データを受信して画像合成等の処理を行なうコンピュータ装置５８が設けられている。また、上記筐体５０の被写体Ｍ側には、上記コンピュータ装置５８から送信された合成画像等の画像信号を受信して画像を表示するディスプレイ５９が設けられている。
【０００５】
さらに、上記筐体５０の内部には、コンピュータ装置５８から送信された画像データを受信し、この画像を印刷媒体６０に印刷するプリンタ６１が設けられている。このプリンタ６１で印刷された印刷媒体６０は、筐体５０の前面に形成された取出口６２から送出されるようになっている。
【０００６】
そして、上記筐体５０の前面には操作パネルが設けられ、この操作パネルにコントローラ６３が設けられている。上記コントローラ６３は、タッチペン６４を備え、使用者Ｍが上記タッチペン６４の先端をディスプレイ５９の表面に接触させて文字や図形等を描いて入力しうるようになっており、手書き入力された文字・図形等の画像データやスタンプ画像等が、カメラ５６で撮影された被写体Ｍの撮影画像と合成されてディスプレイ５９に表示され、印刷媒体６０に印刷されるようになっている。
【０００７】
【特許文献１】
特開２０００−２３５２１５号公報
【０００８】
【発明が解決しようとする課題】
上述の従来の技術においては、利用者のプライバシーを守るために、撮影用ブース５４の内部が外から見えないようになっていたり、撮影時の照明環境を適度に保持するために、撮影用ブース５４内に外部から照明光が入りにくい構造とされている。したがって、本来、禁煙区域とされている撮影用ブース５４内で喫煙等を行なっていても気づきにくく、また、不用意に同ブース５４内でもし火災が発生しても、煙が撮影用ブース５４の上部にこもってしまうので、火災発見が遅れるおそれがある。
【０００９】
本発明は、このような事情に鑑みてなされたもので、撮影空間からの喫煙等による発煙をいち早く発見できるとともに、撮影時の照明状態に支障を来さない写真撮影装置の提供を目的とする。
【００１０】
【課題を解決するための手段】
上記の目的を達成するため、本発明の写真撮影装置は、少なくとも被写体を撮影する撮影手段を備えた筐体と、上記筐体の被写体側に配置された区画部材と、筐体と上記区画部材の間の上部に配置された天井部材と、筐体と区画部材の間の横側部に設けられた側壁部材と、上記側壁部材に設けられた出入口の遮蔽部材とによって形成された撮影空間と、上記撮影空間を常時照明する常灯照明装置と、上記撮影手段で被写体を撮影するときに発光する撮影照明装置とを含んで構成された写真撮影装置であって、上記撮影空間と天井部材の上側空間とを連通状態とする排煙・入射光制限部材が天井部に設けられていることを要旨とする。
【００１１】
すなわち、上記撮影空間と天井部材の上側空間とを連通状態とする排煙・入射光制限部材が天井部に設けられていることにより、撮影空間で発生した喫煙等による煙が、上記排煙・入射光制限部材から上方に立ち昇るのをいち早く目視でき、その後直ちに喫煙等を中止するよう注意をうながして、火災発生にいたるような不用意な事態を未然に防止することができる。
【００１２】
また、この種の写真撮影装置は遊戯施設等の屋内に設置されるので、万一、撮影空間において喫煙等により火災が発生した場合には、煙は排煙・入射光制限部材を通過して遊戯施設等の天井に設置してある火災報知器で検知され、直ちに同施設の天井に取付けられたスプリンクラーから消火剤が噴射される。このとき、消火剤は排煙・入射光制限部材の通気可能箇所から撮影空間内にも噴射されるので、初期消火を迅速に実行することができ、被害を最小限に食い止めることができる。
【００１３】
さらに、上記のように、写真撮影装置は遊戯施設等の屋内に設置されるので、この屋内の照明が写真撮影装置を照射することになる。しかし、排煙・入射光制限部材には、外部から撮影空間にさし込む照明光の光量を制限する機能を保有させてあるので、上記屋内照明等により、写真撮影装置に設けた撮影照明装置の照明度合いが乱されるようなことがなく、適正な照明のもとで写真撮影がなされて、撮影品質の良好な写真プリントを提供することができる。また、写真撮影装置に設けられている常灯照明装置の照明状態も適正な状態に維持されて、撮影空間における撮影準備等が順調に遂行される。
【００１４】
本発明の写真撮影装置において、上記排煙・入射光制限部材は、撮影空間の幅方向に沿って平行に配列された複数の長尺な傾斜板で構成され、上記傾斜板は所定の間隔で配列されることにより通気空間が形成されている場合には、撮影空間で発生した喫煙等による煙が、上記通気空間から上方に立ち昇るのをいち早く目視でき、その後直ちに喫煙等を中止するよう注意をうながして、火災発生にいたるような不用意な事態を未然に防止することができる。
【００１５】
また、この種の写真撮影装置は遊戯施設等の屋内に設置されるので、万一、撮影空間において喫煙等により火災が発生した場合には、煙は通気空間を通過して遊戯施設等の天井に設置してある火災報知器で検知され、直ちに同施設の天井に取付けられたスプリンクラーから消火剤が噴射される。このとき、消火剤は通気空間から撮影空間内にも噴射されるので、初期消火を迅速に実行することができ、被害を最小限に食い止めることができる。
【００１６】
さらに、上記のように、写真撮影装置は遊戯施設等の屋内に設置されるので、この屋内の照明が写真撮影装置を照射することになる。しかし、複数の長尺な傾斜板が撮影空間の幅方向に整然と平行に配列されているので、複数の傾斜板が撮影空間への入射光を制限する集合体の役割を果たし、外部からの入射光を的確に制限することができる。このように複数の傾斜板には、外部から撮影空間にさし込む照明光の光量を制限する機能を保有させてあるので、上記屋内照明等により、写真撮影装置に設けた撮影照明装置の照明度合いが乱されるようなことがなく、適正な照明のもとで写真撮影がなされて、撮影品質の良好な写真プリントを提供することができる。また、写真撮影装置に設けられている常灯照明装置の照明状態も適正な状態に維持されて、撮影空間における撮影準備等が順調に遂行される。
【００１７】
本発明の写真撮影装置において、上記傾斜板が、上記撮影手段に近い側が低くなるように傾斜している場合には、上方から撮影空間内にさし込む照明光が、上記の向きに傾斜している傾斜板で遮られるので、上記照明光が撮影手段に対面している被写体に直接照射されることがなく、写真撮影装置本来の撮影照明装置により、良好な写真撮影がなされる。
【００１８】
本発明の写真撮影装置において、上記傾斜板の傾斜角度および幅寸法が、写真撮影装置の上側から照射された照明光を上記撮影手段に直接照射させない角度および幅寸法とされている場合には、上記撮影手段に撮影を乱すような光が入射しないので、良好な写真撮影がなされる。また、写真撮影装置の上側からの照明光の照射角度が変化しても、傾斜板の傾斜角度を調節したり、あるいは傾斜角度の調節で対応できないときには、傾斜板の幅寸法を変更して、撮影手段への光入射を防止することができる。
【００１９】
本発明の写真撮影装置において、上記傾斜板が、撮影空間の上側に着脱可能な状態で配置された結合部材に取付けられている場合には、傾斜板と結合部材とがユニット化された状態であるから、予備組立て部品として傾斜板を準備することができ、写真撮影装置を組立てる際の作業が簡素化される。また、上記のようなユニット化された部分が撮影空間の上側に結合されるので、写真撮影装置の構造体の剛性を高めるのに有効である。
【００２０】
本発明の写真撮影装置において、上記傾斜板が、開閉可能な構造である場合には、傾斜板を閉じて上方からの照明光の入射を遮断しておくことにより、少なくとも写真撮影のときには撮影照明に何等影響をおよぼさない適正な照明の下で、良好な写真撮影が可能となる。また、写真撮影のとき以外は傾斜板を開放しておくことにより、上述のように、いち早い煙の発見等に供することができる。
【００２１】
本発明の写真撮影装置において、上記傾斜板の外表面は光を吸収しやすい表面状態とされ、内表面は光を反射しやすい表面状態とされている場合には、上方からの屋内照明光は傾斜板の外表面で吸収されるので、外表面を反射する光量が大幅に減少され、上記通気空間をへて撮影空間内に入射する光量は実質的に問題にならないレベルとなる。また、傾斜板の内表面は撮影照明装置や常灯照明装置からの照明光を適正に反射するので、各照明装置は期待通りの照明作用をなし、上記の光吸収機能と相俟って撮影や通常の照明等が良好になされる。
【００２２】
本発明の写真撮影装置において、上記傾斜板の長手方向に略直交する方向で見た断面が、屈曲形状である場合には、屈曲部分による剛性向上により、傾斜板が自重で下方に湾曲するようなことがなく、構造強度の高い排煙・入射光制限部材がえられる。また、屈曲させることにより、傾斜角がより水平に近い面積部分がえられるので、撮影照明装置や常灯照明装置からの照射光を適正に反射させることができ、撮影空間内の照明状態をより良好に保つことができる。
【００２３】
本発明の写真撮影装置において、上記傾斜板の長手方向に略直交する方向で見た断面が、湾曲形状である場合には、湾曲部分による剛性向上により、傾斜板が自重で下方に湾曲するようなことがなく、構造強度の高い排煙・入射光制限部材がえられる。また、湾曲させることにより、傾斜角がより水平に近い面積部分が湾曲の下方部分に形成できるので、撮影照明装置や常灯照明装置からの照射光を適正に反射させることができ、撮影空間内の照明状態をより良好に保つことができる。
【００２４】
本発明の写真撮影装置において、上記排煙・入射光制限部材に沿わせてネット状部材が配置してある場合には、通気性を維持しつつほこり等が撮影空間内に侵入することが防止できる。
【００２５】
本発明の写真撮影装置において、上記傾斜板が、その長さ方向が略水平面内において任意の方向に変向できるように構成されている場合には、写真撮影装置に対する屋内照明の照射方向に応じて、撮影空間への入射光制限を最も効果的なものとすることができる。
【００２６】
本発明の写真撮影装置において、上記撮影空間に消火剤を噴射するスプリンクラーが設けられている場合には、火災発生の検知と同時に撮影空間内に直接消火剤が噴射されるので、火災発生と同時にきわめて早期のうちに初期消火がなされ、火災の被害を最小化することができる。
【００２７】
本発明の写真撮影装置において、写真撮影装置の外側部に火災報知器が設けられている場合には、撮影空間内に火災が発生したことを、写真撮影装置自体が検知して火災発生を報知するものであるから、きわめて迅速な火災報知がなされ、初期消火が確実になされ、火災の被害を最小化することができる。
【００２８】
本発明の写真撮影装置において、上記スプリンクラー，火災発生のセンサー，火災報知器等の各作動電源あるいはこれらのうちのいずれかの作動電源を、写真撮影装置の稼動用電源の通電状態にかかわらず常時通電状態とした場合には、写真撮影装置の稼動用電源とスプリンクラー，センサー，火災報知器等の作動電源が別系統になっているので、これらの３者の機器等は常時動作可能な状態になっていて、写真撮影装置の稼動が終了して利用者がいなくなってから、喫煙等の不始末で火災が発生しても、これらの機器等が確実に動作していち早く火災警報を発して、早期消火が可能となる。
【００２９】
【発明の実施の形態】
つぎに、本発明の実施の形態を詳しく説明する。
【００３０】
図１〜図５は、本発明の写真撮影装置の一実施の形態を示す図である。図１は写真撮影装置全体の斜視図、図２は排煙・入射光制限部材の断面図、図３は筐体の外面構造を理解しやすくするために透視図的に示した斜視図、図４は写真撮影装置の側部を示す側面図であり、これら図１〜図４は骨格部材や壁板部材等の太さや厚さの図示を省略し、単一線で図示してある。
【００３１】
この写真撮影装置は、図１〜図４に示すように、正面や内部に各種の装置が設けられた筐体１を備え、上記筐体１の正面側すなわち図１および図３の斜め手前側または図４の右側で撮影プレイを行ない、筐体１の背面側すなわち図１および図３の斜め奥側または図４の左側で撮影画像の編集プレイを行うようになっている。
【００３２】
上記筐体１の正面側には、被写体２の後方に区画部材であるバックパネル３が配置され、上記筐体１とバックパネル３の間の上部は、板状の天井部材４ａと支持枠材４ｂで連結されており、また、筐体１とバックパネル３の間の横側部に側壁部材４ｄが設けられ、ここに出入口４ｅが形成され、この出入口４ｅに遮蔽部材であるカーテン５ａが吊設されている。そして、上記筐体１，バックパネル３，天井部材４ａ，側壁部材４ｄ，カーテン５ａにより、本発明における撮影領域である撮影空間３１を形成する撮影ボックスが形成されている。このように、本発明における撮影ボックスとは、完全な箱状のものに限らず、壁や天井を幕状のシートで完全および／または不完全に仕切ったものを含む趣旨である。
【００３３】
一方、上記筐体１には、その背面側に突出するように支持枠材４ｃが取り付けられ、その先端部にカーテン５ｂが吊設されている。そして、上記筐体１の背面側とカーテン５ｂとの間に、編集空間３２が形成されている。
【００３４】
上記筐体１の正面には、プレイの対価としての硬貨を投入する硬貨投入口１５が設けられ、この硬貨投入口１５の近傍に設けられた対価受領部としての硬貨検出部（図示していない）が設けられている。そして、上記硬貨検出部が投入された硬貨を検出することにより、撮影プレイが開始され、撮影プレイ後に撮影画像に対して編集プレイを行い、編集された撮影画像がプリントされ提供されるようになっている。図４において３３は編集用筐体２２に収容されているプリンタ、３４は上記プリンタ３３から印刷媒体を取出す取出口である。なお、このプリンタ３３を筐体１に収容し、筐体１の横側部に取出口３４を配置してもよい。
【００３５】
上記筐体１の内部には、撮影空間３１内の使用者２を含む被写体２を撮影するカメラ６が撮影手段として設けられ、筐体１の前面は前壁板１０で覆われている。上記前壁板１０の左右には、半透明の乳白板１１が設けられ、上記乳白板１１の背後には、撮影プレイ中において、上記カメラ６による撮影中に被写体２を常時照明する蛍光灯（常灯照明装置）１７と、シャッタ操作によって被写体２を撮影するときに発光させるストロボ（撮影照明装置）７とが設けられている。
【００３６】
上記蛍光灯１７は、撮影画像確認用の常灯照明であり、これに並置されたストロボ７は、撮影用のストロボ照明である。そして、撮影時にはストロボ照明が発光し、後述するモニタ２０による撮影画像確認時には常灯照明が照明するようになっている。
【００３７】
上記モニタ２０はカメラ６の下側中央部に配置され、上記モニタ２０の下側に撮影プレイの操作を行なう操作パネル１６が設けられている。上記操作パネル１６には、撮影プレイに必要な各種の選択アイテム、例えば、フレーミング，ズーミング，色合い，明るさ，カメラアングル等を順次上記モニタ２０に表示させて、操作入力の選択入力や切換入力を行う切換ボタン１２ａ，１２ｂが配置され、これらのボタン１２ａ，１２ｂはカメラ６の下側において右側と左側にそれぞれ寄せ付けられた（左右に振り分けられた）配置とされている。
【００３８】
上記切換ボタン１２ａと１２ｂの間に共通ボタン１２ｃが配置され、この共通ボタン１２ｃは、上記切換ボタン１２ａ，１２ｂの選択入力や切換入力を決定する決定ボタンと、決定した入力を一旦キャンセルするキャンセルボタン等が設けられている。上記切換ボタン１２ａ，１２ｂは、右側と左側にそれぞれ１組ずつ設けられ、複数の使用者２が各切換ボタン１２ａ，１２ｂを別々に操作して選択入力や切換入力を行いうるようになっている。
【００３９】
また、筐体１内には、写真撮影装置全体や写真編集装置全体を動作させるコンピュータ装置２１が収容されていて、撮影プレイに必要な撮影画像の設定や編集プレイに必要な撮影画像の読み出し、撮影画像と手書き画像との画像合成等において機能するようになっている。
【００４０】
上記編集用筐体２２の上面には、図示していないが、傾斜した操作パネルが形成されており、その中央部には編集用のディスプレイが配置され、このディスプレイに表示されている「ペン」「スタンプ」「サイズ」「消しゴム」「落書き色」「背景色」「おわる」等の項目をタッチペン等で選択したり、好みの文字や図形を書き込めるようになっている。このような編集プレイは上記の編集空間３２において遂行される。また、編集プレイが完了して「おわる」をタッチペン等で指定すると、プリンタ３３が動作して編集画像が写真プリントとなって取出口３４から取出される。ここでは、筐体１と編集用筐体２２をそれぞれ別の筐体としているが、上記編集プレイで必要な編集用のディスプレイ等を、筐体１の背面もしくは側面に設置し、編集用筐体２２を設けなくても構わない。
【００４１】
つぎに、排煙・入射光制限部材２３について説明する。
【００４２】
上記筐体１，バックパネル３，天井部材４ａ，側壁部材４ｄ，カーテン５ａ等により構成された撮影空間３１と、撮影空間３１の上側の空間との通気性を十分に確保し、同時に撮影空間３１内の照明状態を適正にするために、排煙・入射光制限部材２３が写真撮影装置の天井部に配置されている。
【００４３】
上記排煙・入射光制限部材２３は、天井部材４ａが配置されていない箇所に合致させて配置されているもので、撮影空間３１の幅方向に沿って平行に配列された長尺な複数の傾斜板２４で構成されている。上記傾斜板２４は、後述する所定の間隔で配列されることにより、通気空間２５を形成している。傾斜板２４は、カメラ６に近い側が低くなるように傾斜させてあり、各傾斜板２４の傾斜角度は略同じである。
【００４４】
なお、撮影空間３１の幅方向は、カメラ６に正対している被写体２の左右方向、あるいは筐体１の前壁板１０に正対している被写体２の左右方向と同じ方向である。そして、各図に示されている傾斜板２４は、撮影空間３１の全幅にわたって配置されているが、この傾斜板２４を短くして、上記幅方向の中央部だけに配置したり、あるいは左右に分割して配置したりしてもよい。上記傾斜板２４は、合成樹脂製の板材で製作されているが、線材を四角い枠状に成形して、それに膜状のシート材を貼りつけたものでもよい。
【００４５】
本発明の写真撮影装置は、通常、遊戯施設等の建物の中に設置され、この建物の天井１３には蛍光灯等の照明装置１４や火災報知器１８および水や消火液等の消火剤を噴射するスプリンクラー１９等が設置されている。したがって、写真撮影装置は照明装置１４からの照明光を受ける状態になっている。したがって、この照明装置１４からの照明光が排煙・入射光制限部材２３をへて撮影空間３１内にさし込むことにより、ストロボ７や蛍光灯１７の照明状態が乱されないようにする必要がある。
【００４６】
このような必要性に応えるために、傾斜板２４の間隔は、図５（Ａ）に示すように、傾斜板２４を真上から見たときに傾斜板の上縁２４ｄと下縁２４ｅとの間に隙間が空かないように配列したり、（Ｂ）に示すように、上縁２４ｄと下縁２４ｅとが重複するように配列したりしてある。このように配列することにより、上方からの照明光が直接撮影空間３１内にさし込む光量を、実質的に実害のないレベルにまで減少することができる。
【００４７】
上記の光量の減少は、主として、入射光を傾斜板２４で直接さえぎることにより達成されるのであるが、（Ａ）に示した矢線２６ａや２６ｂのような反射光がある程度の光量として撮影空間３１内に侵入するので、傾斜板２４の外表面２４ａには光を吸収しやすい例えば黒色塗装を施し、内表面２４ｂには撮影空間３１内の照明をより促進するために、光を反射しやすい例えば白色塗装が施されている。
【００４８】
上記のような表面状態とすることにより、上方からの屋内照明光は傾斜板２４の外表面２４ａで吸収されるので、外表面２４ａを反射する光量が大幅に減少され、上記通気空間２５をへて撮影空間３１内に入射する光量は実質的に問題にならないレベルとなる。また、傾斜板２４の内表面２４ｂはストロボ７や蛍光灯１７からの照明光を適正に反射するので、ストロボ７や蛍光灯１７は期待通りの照明作用をなし、上記の光吸収機能と相俟って撮影や通常の照明等が良好になされる。
【００４９】
また、（Ｂ）のように傾斜板２４の間隔が狭い場合には、矢線２６ｃのような反射が何度も繰り返されるので、その反射の都度入射光が減衰されて、撮影空間３１に及ぶ光量が大幅に低減される。
【００５０】
また、図５（Ｃ）に示した上縁２４ｄと下縁２４ｅとの間に隙間ができる場合は、真上からの照明光が上記隙間から直接入射するので、撮影空間３１内への入射光量の減少については、先の（Ａ）や（Ｂ）よりも入射光量の減少効果の点で劣るところがある。しかし、主に図（Ｃ）の左方から照明光が照射されたり、屋内照明の明るさが不十分な環境においては、入射光の制限機能が十分に果たされるとともに、通気空間２５を大きく設定できる利点がある。
【００５１】
上述のような遮光機能に配慮して配置された複数の傾斜板２４が略同じ傾斜角度で配列されているので、それによって形成された傾斜板２４間の空隙部分が通気区間２５とされている。
【００５２】
上述のように、入射光を制限する現象を図５に基づいて説明したが、図５に示した傾斜板２４はそれ自体の幅寸法が比較的小さくされ、その代わり傾斜板２４の枚数が多く設定され、また、傾斜板２４の傾斜角度も比較的起立させられた４５度とされている。（図４の傾斜板２４も図５（Ａ）のような形式である。）一方、図１および図３に示すように、傾斜板２４が２枚だけの場合は、傾斜板２４の幅も大きく設定され、またその傾斜角度も図５のものより大幅に寝かされた角度とされている。それ以外の遮光機能については図５のものと同様である。
【００５３】
したがって、撮影空間３１内への入射光、とくに、カメラ６への直射光を遮断するためには、傾斜板２４の幅寸法や傾斜角度を上方からの照明光の状態に適合させて設定するのである。したがって、カメラ６に撮影を乱すような光が入射しないので、良好な写真撮影がなされる。また、写真撮影装置の上側からの照明光の照射角度が変化しても、傾斜板２４の傾斜角度を調節したり、あるいは傾斜角度の調節で対応できないときには、傾斜板２４の幅寸法を変更して、撮影手段への光入射を防止することができる。さらに、通常、カメラ６にはフード６ａが取付けられているが、写真撮影装置の上方の照明が変化したりしてカメラ６への入射光が強くなっても、このフード６ａが遮光機能を果たして、良好な写真撮影がなされる。
【００５４】
傾斜板２４が上述のような機能を果たすためには、傾斜板２４を所定の位置に固定する必要がある。この固定方法としては種々なものが採用できるが、ここでは細長い板状の部材を結合部材２７にしたものを例示している。その具体的な構造は、上記板状の部材をコ字型に成形して幅側板２７ａと、この幅側板２７ａの両側から平行な状態で延びている２つの横側板２７ｂ，２７ｂとにより結合部材２７が構成されている。そして、この結合部材２７は、撮影空間３１の上部すなわち天井部材４ａや筐体１の上部部分に着脱可能な状態で取付けられている。傾斜板２４はその両端部が、上記の傾斜角度や間隔を設定した状態で両横側板２７ｂ，２７ｂの内側に結合されている。
【００５５】
したがって、排煙・入射光制限部材２３をユニット部品としてみると、傾斜板２４と、傾斜板２４を所定の傾斜角度や間隔で固定する結合部材２７とによって構成されている。
【００５６】
上記のような傾斜板２４の固定構造により、傾斜板２４と結合部材２７とがユニット化された状態であるから、予備組立て部品として傾斜板２４を準備することができ、写真撮影装置を組立てる際の作業が簡素化される。また、上記のようなユニット化された部分が撮影空間３１の上側に結合されるので、写真撮影装置の構造体の剛性を高めるのに有効である。
【００５７】
図２に示された符号２８は、排煙・入射光制限部材２３に沿わせて配置したネット状部材であり、具体的には金属製または合成樹脂製の網状部材であるが、これを多数の穴があけられたパンチメタルのような部材にしてもよい。図２においては、上記ネット状部材２８が、排煙・入射光制限部材２３の下側に配置されているが、これを同部材２３の上側に配置してもよい。このような構造により、通気性等を維持しつつほこり等が撮影空間３１内に侵入することが防止できる。
【００５８】
上記構成により、撮影空間３１で発生した喫煙等による煙が、上記通気空間２５から上方に立ち昇るのをいち早く目視でき、その後直ちに喫煙等を中止するよう注意をうながして、火災発生にいたるような不用意な事態を未然に防止することができる。
【００５９】
また、この種の写真撮影装置は遊戯施設等の屋内に設置されるので、万一、撮影空間３１において喫煙等により火災が発生した場合には、煙は通気空間２５を通過して遊戯施設等の天井１３に設置してある火災報知器１８で検知され、直ちにスプリンクラー１９から水や消火剤が噴射される。このとき、消火剤は通気空間２５から撮影空間３１内にも噴射されるので、初期消火を迅速に実行することができ、被害を最小限に食い止めることができる。
【００６０】
さらに、上記のように、写真撮影装置は遊戯施設等の屋内に設置されるので、この屋内の照明が写真撮影装置を照射することになる。しかし、複数の長尺な傾斜板２４が撮影空間３１の幅方向に整然と平行に配列されているので、複数の傾斜板２４が撮影空間３１への入射光を制限する集合体の役割を果たし、外部からの入射光を的確に制限することができる。このように複数の傾斜板２４には、外部から撮影空間３１にさし込む照明光の光量を制限する機能を保有させてあるので、上記屋内照明１４等により、写真撮影装置に設けたストロボ７の照明度合いが乱されるようなことがなく、適正な照明のもとで写真撮影がなされて、撮影品質の良好な写真プリントを提供することができる。また、写真撮影装置に設けられている蛍光灯１７の照明状態も適正な状態に維持されて、撮影空間３１における撮影準備等が順調に遂行される。
【００６１】
上記傾斜板２４が、カメラ６に近い側が低くなるように傾斜しているので、上方から撮影空間３１内にさし込む照明光が、上記の向きに傾斜している傾斜板２４で遮られるので、上記照明光がカメラ６に対面している被写体２に直接照射されることがなく、写真撮影装置本来のストロボ７等の照明により、良好な写真撮影がなされる。
【００６２】
上記の撮影空間３１の下側がカーテン５ａによって開放されているので、遊戯施設等の室内冷房の冷気が上記の開放された部分から撮影空間３１内にはいり、蛍光灯１７等によって暖められた撮影空間３１内の空気は排煙・入射光制限部材２３から上方に排出される。したがって、撮影空間３１内の換気が十分に行なわれ、遊戯施設等の冷房が撮影空間３１にも十分に作用し、快適な写真撮影装置がえられる。
【００６３】
図６および図７は、本発明の写真撮影装置の第２の実施の形態を示す。
【００６４】
この実施の形態は、排煙・入射光制限部材２３を構成する結合部材２７の高さが、先の実施の形態のものより低く設定され、傾斜板２４が結合部材２７の横側板２７ｂ，２７ｂから突き出ている場合である。それ以外は、上記実施の形態と同様であり、同様の部分には同じ符号を付している。
【００６５】
したがって、撮影空間３１内から立ち昇った煙は、高さの低い結合部材２７の横側部から横方向にも流出するので、煙の発見がより一層行ないやすくなり、対応措置を迅速に講じることができる。それ以外は、上記実施の形態と同様の作用効果を奏する。
【００６６】
図８は、本発明の写真撮影装置の第３の実施の形態を示す。
【００６７】
この実施の形態は、傾斜板２４を開閉可能な構造にした場合であり、同図は開閉機構を簡略的に示している。傾斜板２４の両端に枢軸３５が固定され、この枢軸３５が所定間隔で結合部材２７の横側板２７ｂ，２７ｂの内側に回動可能な状態で支持されている。傾斜板２４を一斉に回動させるために、結合リンク３６が設けられている。この結合リンク３６は各傾斜板２４の端部に取付けられた軸３７に枢着されているもので、いずれかの傾斜板２４を回動させると、全ての傾斜板２４が一斉に回動するようになっている。その回動力を付与するために静止部材に固定されたアクチュエータ３８が設けられている。このアクチェータ３８としては、少なくとも傾斜板２４の全閉位置と全開位置の２位置をとりうる電磁ソレノイドとするのが適当であり、進退動作をする出力軸３８ａに作動レバー３９の一端が結合してあり、同レバー３９の他端は上記枢軸２５に結合してある。また、硬貨検出部が投入された硬貨を検出して、撮影プレイが開始されたときに、上記硬貨検出部からの検出信号を上記アクチュエータ３８に送り、自動的に傾斜板２４を閉じ、撮影プレイが終了するとこの終了信号をアクチュエータ３８に送って自動的に傾斜板２４を開くようにしてもよい。それ以外は、上記各実施の形態と同様であり、同様の部分には同じ符号を付している。
【００６８】
上記構成により、アクチュエータ３８が進退出力をすると、傾斜板２４が開閉される。したがって、傾斜板２４を閉じて上方からの照明光の入射を遮断しておくことにより、少なくとも写真撮影のときには撮影照明に何等影響をおよぼさない適正な照明の下で、良好な写真撮影が可能となる。また、写真撮影のとき以外は傾斜板２４を開放しておくことにより、上述のように、いち早い煙の発見に供することができる。それ以外は、上記各実施の形態と同様の作用効果を奏する。
【００６９】
図９は、本発明の写真撮影装置の第４の実施の形態を示す。
【００７０】
この実施の形態は、傾斜板２４の長手方向に直交する方向で見た断面が、屈曲形状や湾曲形状とされている場合である。図９（Ａ）は傾斜板２４の上下両端側に屈曲部分２４ｃを設けた場合、（Ｂ）は傾斜板２４の上端側だけに屈曲部分２４ｃを設けた場合、（Ｃ）は傾斜板２４の下端側だけに屈曲部分２４ｃを設けた場合である。また、（Ｄ）は断面が湾曲形状とされている場合である。それ以外は、上記各実施の形態と同様であり、同様の部分には同じ符号を付している。
【００７１】
上記構成により、屈曲部分２４ｃによる剛性向上により、傾斜板２４が自重で下方に湾曲するようなことがなく、構造強度の高い排煙・入射光制限部材２３がえられる。また、屈曲させることにより、傾斜角がより水平に近い面積部分がえられるので、ストロボ７や蛍光灯１７からの照射光を適正に反射させることができ、撮影空間３１内の照明状態をより良好に保つことができる。また、湾曲部分による剛性向上により、傾斜板２４が自重で下方に湾曲するようなことがなく、構造強度の高い排煙・入射光制限部材２３がえられる。また、湾曲させることにより、傾斜角がより水平に近い面積部分が湾曲の下方部分に形成できるので、ストロボ７や蛍光灯１７からの照射光を適正に反射させることができ、撮影空間３１内の照明状態をより良好に保つことができる。それ以外は、上記各実施の形態と同様の作用効果を奏する。
【００７２】
図１０および図１１は、本発明の写真撮影装置の第５の実施の形態を示す。
【００７３】
この実施の形態は、ユニット化された排煙・入射光制限部材２３をコンパクトな荷姿にして、輸送上の便宜を図るもので、図１０のものは、内側に傾斜板２４を有する結合部材２７を四角い枠状にしてその四隅にヒンジ部４８を配置したもので、同図（Ｃ）に示すように、平行四辺形となるように折りたたむようになっている。ヒンジ部４８には枢軸を有するヒンジ構造や、屈曲可能な薄肉部（インテグラルヒンジ）が設けてある。また、傾斜板２４の端部と結合部材２７の内側とのヒンジ結合も、上記ヒンジ部４８と同様な構造で折りたたみが可能となる。なお、同図（Ｂ）は（Ａ）の（Ｂ）−（Ｂ）断面図である。
【００７４】
図１１のものは、結合部材２７にハニカム構造体４９を組み合わせたもので、同図（Ｂ）に示すように、ハニカム構造体４９を押し潰すようにして折りたたむ形式である。それ以外は、上記各実施の形態と同様であり、同様の部分には同じ符号を付している。
【００７５】
上記構成により、排煙・入射光制限部材２３が小さくされた荷姿になるので、輸送が簡便になり、しかも組立てるときには単に引延ばすような動作で初期の形状となるので、組立て作業の点においても好都合である。それ以外は、上記各実施の形態と同様の作用効果を奏する。
【００７６】
図１の一部に、本発明の写真撮影装置の第６の実施の形態を示す。
【００７７】
この実施の形態は、上記傾斜板２４が、その長さ方向が略水平面内において任意の方向に変向できるように構成されている場合である。そのために、幅側板２７ａの長さＬ１と横側板２７ｂの長さＬ２を同じにして、結合部材２７の平面形状を正方形にしている。あるいは、図示していないが、結合部材２７の平面形状を円形や８角形にすることもできる。それ以外は、上記各実施の形態と同様であり、同様の部分には同じ符号を付している。
【００７８】
上記構成により、正方形の結合部材２７の向きを９０度変向することにより、傾斜板２４を水平面内で９０度向きを変えることができる。したがって、写真撮影装置の外部から照射される照明光の向きに対応させて、撮影空間への入射光制限を最も効果的なものとすることができる。また、結合部材２７を円形や８角形等とすることにより、略無段階に傾斜板２４の向きを選定できるので、一層効果的な入射光制限ができる。それ以外は、上記各実施の形態と同様の作用効果を奏する。
【００７９】
図４の一部に、本発明の写真撮影装置の第７の実施の形態を示す。
【００８０】
この実施の形態は、撮影空間３１に消火液等の消火剤を噴射するスプリンクラー４５が撮影空間３１の内壁を構成する部材、ここでは筐体１の上部に取付けられている。そして、煙を感知するセンサー４６が撮影空間３１の上部に配置されている。それ以外は、上記各実施の形態と同様であり、同様の部分には同じ符号を付している。
【００８１】
上記構成により、火災発生の検知と同時に撮影空間３１内に直接消火剤が噴射されるので、火災発生と同時にきわめて早期のうちに初期消火がなされ、火災の被害を最小化することができる。それ以外は、上記各実施の形態と同様の作用効果を奏する。
【００８２】
図４の一部に、本発明の写真撮影装置の第８の実施の形態を示す。
【００８３】
この実施の形態は、写真撮影装置の外側部に火災報知器４７が設けられている場合である。それ以外は、上記各実施の形態と同様であり、同様の部分には同じ符号を付している。
【００８４】
上記構成により、撮影空間３１内に火災が発生したことを、写真撮影装置自体が検知して火災発生を報知するものであるから、きわめて迅速な火災報知がなされ、初期消火が確実になされ、火災の被害を最小化することができる。それ以外は、上記各実施の形態と同様の作用効果を奏する。
【００８５】
また、上記スプリンクラー４５，センサー４６，火災報知器４７等の各作動電源あるいはこれらのうちのいずれかの作動電源を、写真撮影装置の稼動用電源の通電状態にかかわらず常時通電状態とすることにより、すなわち写真撮影装置の稼動用電源とスプリンクラー４５，センサー４６，火災報知器４７等の作動電源を別系統とすることにより、これらの３者の機器４５，４６，４７等は常時動作可能な状態になっているので、店舗閉店後など写真撮影装置の稼動が終了して利用者２がいなくなってから、喫煙等の不始末で火災が発生しても、これらの機器４５，４６，４７等が確実に動作していち早く火災警報を発して、早期消火が可能となる。さらに、センサー４６や火災報知器４７等の作動電源を蓄電池とすることにより、電気配線的には火災報知器４７を写真撮影装置側に完全に付属させることができて、公共電力の配線が写真撮影装置だけとなり配線が簡素化される。
【００８６】
上記の各実施の形態は、撮影空間３１における喫煙等や万一の場合の火災発生に備えて、上記排煙・入射光制限部材２３が設置されている状態に視点をおいて説明されている。しかし、編集プレイが遂行される編集空間３２においても、煙がこもったりするような比較的クローズドな空間状況であれば、編集空間３２の上部に上記実施の形態と同様な構成で排煙・入射光制限部材２３を設けて、撮影空間３１の場合と同様な効果をえることができる。
【００８７】
図４に示されているように、プリンタ３３が編集用筐体２２内に設置されているが、本発明の写真撮影装置と一体的に存在するものとして、このプリンタ３３に装填するプリント用紙に関して、つぎのようなプリント用紙ユニットを採用することができる。
【００８８】
図１２〜図１４は、プリント用紙ユニットの実施の形態を示す。以下に説明する各プリント用紙ユニットは、上述の写真撮影装置からの撮影画像を編集して写真プリントとして出力するプリンタ３３で用いられる。
【００８９】
図１２に示すプリント用紙ユニットは、プリンタに使用されるプリント用紙と、上記プリント用紙のプリント供給可能枚数が記録される記憶手段とがセットの状態となり、写真プリントを作成する機能のある装置（例えば、写真プリント作成装置）に備えられた読取手段で上記記憶手段のプリント供給可能枚数が読み取られてその枚数だけ写真プリントが供給されるように構成されていることを要旨とする。
【００９０】
したがって、プリント用紙と、プリント供給可能枚数が記録される記憶手段とがセットになっているので、プリント用紙を上記の写真プリント作成装置に装填することにより、読取手段で記憶手段のプリント供給可能枚数を読み取り、上記の読取り枚数値に即して供給される。
【００９１】
具体的には、ＩＣチップやＩＣカード等の記憶手段４２と、写真プリント作成装置のプリンタ３３で使用されるプリント用紙４０とがセットとして写真プリント作成装置に供給されるものである。この例では、上記プリント用紙４０としてロール状のものを示している。上記記憶手段４２には、この記憶手段４２とセット供給されるプリント用紙４０における、供給対象である装置で印刷出力可能な写真プリントの枚数すなわちプリント供給可能枚数が記録されている。一方、写真プリント作成装置には、上記記憶手段４２に記憶された情報を読み取る読取手段４１が設けられている。
【００９２】
そして、上記プリント用紙ユニットを写真プリント作成装置に使用する場合には、記憶手段４２を読取手段４１にセットするとともに、プリント用紙４０をプリンタ３３に装填する。そして、上記読取手段４１で記憶手段４２のプリント供給可能枚数が読み取られ、プリンタ３３ではセットで供給されたプリント用紙４０に印刷が行なわれて写真プリントの供給が行なわれるのであるが、このとき、上記読取手段４１でセット供給された記憶手段４２から読み取られたプリント供給可能枚数だけ印刷を行なって画像プリントを供給し、その後は次の記憶手段４２とプリント用紙４０が供給されるまではプリントの供給を停止するようになっている。
【００９３】
上述のような動作を実現するためのシステム構成としては、図示していないが、読取手段４１からの読取データを、上記コンピュータ装置２１に設けた出力枚数制限部に供給し、出力枚数制限部では読み取られたプリント供給可能枚数だけ写真プリントを印刷すると、その後は次の記憶手段４２が供給されるまでプリントの出力を制限することにより行なわれる。なお、プリント供給可能枚数の残り枚数が所定枚数に達したら、つぎのプリント用紙を準備するようアラームを発することも可能である。こうすることにより、顧客を待たせることなく回転率の高い写真プリント作成装置の運営ができる。上記読取手段４１がプリンタ３３の内部に備わる場合は、プリンタ内部で検出された情報を上記コンピュータ装置２１に送信し制御し、プリンタ外部に備わる場合には、コンピュータ装置２１で読取られ制御される。
【００９４】
図１３に示すプリント用紙ユニットは、上記プリンタに使用されるプリント用紙を備えたプリント用紙ユニットであって、上記プリント用紙には当該プリント用紙を識別する識別情報が付されており、写真プリントを作成する機能のある装置（例えば、写真プリント作成装置）に備えられた読取手段で上記識別情報が読み取られることにより、写真プリントが供給されるように構成されていることを要旨とする。
【００９５】
したがって、上記写真プリント作成装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、利用者によりすぐれた品質の写真プリントの提供ができる。また、プリント用紙等の偽造品が流出することを防ぐことができる。
【００９６】
具体的には、ＩＣチップやＩＣカード等の記憶手段４２を備えておらず、写真プリント作成装置のプリンタ３３で使用されるプリント用紙４０が写真プリント作成装置に供給されるものである。この例では、上記プリント用紙４０としてロール状のものを示している。上記プリント用紙４０には、当該プリント用紙４０の真偽を識別する識別情報がバーコード等により付されている（図示せず）。そして、写真プリント作成装置には、プリンタ３３に装填されたプリント用紙４０の識別情報を読み取る読取手段４１が設けられている。
【００９７】
そして、上記プリント用紙ユニットを写真プリント作成装置に使用する場合には、プリント用紙４０をプリンタ３３に装填する。そして、上記読取手段４１でプリント用紙４０の識別情報が読み取られ、その識別情報を、上記コンピュータ装置２１に設けた判定手段に供給し、判定手段では読み取られた識別情報が正しい場合にだけ写真プリントを印刷し、真正なものでない場合にはプリントの出力を行なわないようになっている。
【００９８】
したがって、上記写真プリント作成装置固有の性能やよりすぐれた写真プリントの仕上り品質等にとって最適のプリント用紙であるか否かが、識別情報によって判別することができるので、識別情報の読み取り結果に応じて写真プリント作成装置を動作させないようにすることができ、利用者によりすぐれた品質の写真プリントの提供ができる。また、プリント用紙等の偽造品が市場に流出することを防ぐことができる。それ以外は、上記図１２に示したものと同様の作用効果を奏する。
【００９９】
図１４に示すプリント用紙ユニットは、上記プリンタに使用されるプリント用紙と、上記プリント用紙に写真をプリントするインクリボン等の記録材料がセットの状態となり、上記プリント用紙または記録材料には当該プリント用紙または記録材料を識別する識別情報が付されており、写真プリントを作成する機能のある装置（例えば、写真プリント作成装置）に備えられた読取手段で上記識別情報が読み取られることにより写真プリントが供給されるように構成されていることを要旨とする。
【０１００】
したがって、上記写真プリント供給装置固有の性能やよりすぐれた写真プリントの仕上り品質等にとって最適のプリント用紙または記録材料であるか否かが、識別情報によって判別することができるので、識別情報の読み取り結果に応じて写真プリント作成装置を動作させないようにすることができ、また、プリント用紙等の偽造品が流出することを防ぐことができる。
【０１０１】
具体的には、写真プリント作成装置のプリンタ３３で使用されるプリント用紙４０と、上記プリント用紙４０に画像をプリントするインクリボン等の記録材料４３がセットの状態となって写真プリント作成装置に供給されるものである。この例では、上記プリント用紙４０としてロール状のものを示している。図において４４は印刷ヘッドである。上記記録材料４３には、当該記録材料４３の真偽を識別する識別情報がバーコード等により付されている（図示せず）。そして、写真プリント作成装置には、プリンタ３３に装填された記録材料４３の識別情報を読み取る読取手段４１が設けられている。
【０１０２】
そして、上記プリント用紙ユニットを写真プリント作成装置に使用する場合には、プリント用紙４０および記録材料４３をプリンタ３３に装填する。そして、上記読取手段４１で記録材料４３の識別情報が読み取られ、その識別情報を、上記コンピュータ装置２１に設けた判定手段に供給し、判定手段では読み取られた識別情報が正しい場合にだけ写真プリントを印刷し、真正なものでない場合にはプリントの出力を行なわないようになっている。
【０１０３】
この例において、バーコード等の識別情報を記録材料４３ではなくプリント用紙４０に付し、読取手段４１は、プリンタ３３に装填されたプリント用紙４０の識別情報を読み取るようにしてもよい。また、図示した例は、プリンタ３３が、記録材料４３としてインクリボンを使用する昇華型プリンタ等の例であるが、記録材料４３としてカートリッジ式のインクを使用したインクジェット方式等のプリンタに適用することもできる。
【０１０４】
したがって、上記写真プリント作成装置固有の性能やよりすぐれた写真プリントの仕上り品質等にとって最適のプリント用紙４０であるか否かが、識別情報によって判別することができるので、識別情報の読み取り結果に応じて写真プリント作成装置を動作させないようにすることができ、利用者によりすぐれた品質の写真プリントの提供ができる。また、プリント用紙等の偽造品が市場に流出することを防ぐことができる。それ以外は、上記図１２，図１３に示したものと同様の作用効果を奏する。
【０１０５】
【発明の効果】
以上のように、本発明の写真撮影装置によれば、上記撮影空間と天井部材の上側空間とを連通状態とする排煙・入射光制限部材が入力部材に設けられていることにより、撮影空間で発生した喫煙等による煙が、上記排煙・入射光制限部材から上方に立ち昇るのをいち早く目視でき、その後直ちに喫煙等を中止するよう注意をうながして、火災発生にいたるような不用意な事態を未然に防止することができる。
【０１０６】
また、この種の写真撮影装置は遊戯施設等の屋内に設置されるので、万一、撮影空間において喫煙等により火災が発生した場合には、煙は排煙・入射光制限部材を通過して遊戯施設等の天井に設置してある火災報知器で検知され、直ちに同施設の天井に取付けられたスプリンクラーから消火剤が噴射される。このとき、消火剤は排煙・入射光制限部材の通気可能箇所から撮影空間内にも噴射されるので、初期消火を迅速に実行することができ、被害を最小限に食い止めることができる。
【０１０７】
さらに、上記のように、写真撮影装置は遊戯施設等の屋内に設置されるので、この屋内の照明が写真撮影装置を照射することになる。しかし、排煙・入射光制限部材には、外部から撮影空間にさし込む照明光の光量を制限する機能を保有させてあるので、上記屋内照明等により、写真撮影装置に設けた撮影照明装置の照明度合いが乱されるようなことがなく、適正な照明のもとで写真撮影がなされて、撮影品質の良好な写真プリントを提供することができる。また、写真撮影装置に設けられている常灯照明装置の照明状態も適正な状態に維持されて、撮影空間における撮影準備等が順調に遂行される。
【図面の簡単な説明】
【図１】本発明の写真撮影装置の一実施の形態を示す斜視図である。
【図２】排煙・入射光制限部材の断面図である。
【図３】図１の斜視図からある部品を除去して示した斜視図である。
【図４】写真撮影装置の側面図である。
【図５】傾斜板の各種配置態様を示す断面図である。
【図６】写真撮影装置の他の実施の形態を示す斜視図である。
【図７】上記他の実施の形態における排煙・入射光制限部材の断面図である。
【図８】傾斜板の可動構造を示す簡略的な側面図である。
【図９】傾斜板の各種取付け態様を示す断面図である。
【図１０】排煙・入射光制限部材の折りたたみ構造を示す図である。
【図１１】他の排煙・入射光制限部材の折りたたみ構造を示す図である。
【図１２】プリント用紙ユニットの第１の実施の形態を示す簡略的な側面図である。
【図１３】プリント用紙ユニットの第２の実施の形態を示す簡略的な側面図である。
【図１４】プリント用紙ユニットの第３の実施の形態を示す簡略的な側面図である。
【図１５】本発明に関する従来技術を示す断面図である。
【符号の説明】
１    筐体
２    被写体，使用者，利用者
３    バックパネル
４ａ  天井部材
４ｂ  支持枠材
４ｃ  支持枠材
４ｄ  側壁部材
４ｅ  出入口
５ａ  カーテン
５ｂ  カーテン
６    カメラ
６ａ  フード
７    ストロボ
１０    前壁板
１１    乳白板
１２ａ  切換ボタン
１２ｂ  切換ボタン
１２ｃ  共通ボタン
１３    天井
１４    照明装置
１５    硬貨投入口
１６    操作パネル
１７    蛍光灯
１８    火災報知器
１９    スプリンクラー
２０    モニタ
２１    コンピュータ装置
２２    編集用筐体
２３    排煙・入射光制限部材
２４    傾斜板
２４ａ  外表面
２４ｂ  内表面
２４ｃ  屈曲部分
２４ｄ  上縁
２４ｅ  下縁
２５    通気空間
２６ａ  矢線
２６ｂ  矢線
２６ｃ  矢線
２７    結合部材
２７ａ  幅側板
２７ｂ  横側板
２８    ネット状部材
３１    撮影空間
３２    編集空間
３３    プリンタ
３４    取出口
３５    枢軸
３６    結合リンク
３７    軸
３８    アクチュエータ
３８ａ  出力軸
３９    作動レバー
４０    プリント用紙
４１    読取手段
４２    記憶手段
４３    インクリボン，記録材料
４４    印刷ヘッド
４５    スプリンクラー
４６    センサー
４７    火災報知器
４８    ヒンジ部
４９    ハニカム構造体
５０    筐体
５１    骨材
５２    壁板
５３    カーテン
５４    撮影用ブース
５５    ライト
５６    カメラ
５７    透明板
５８    コンピュータ装置
５９    ディスプレイ
６０    印刷媒体
６１    プリンタ
６２    取出口
６３    コントローラ
６４    タッチペン
Ｌ１    幅側板の長さ
Ｌ２    横側板の長さ
【図１】
2004233509.tif 000003
【図２】
2004233509.tif 000004
【図３】
2004233509.tif 000005
【図４】
2004233509.tif 000006
【図５】
2004233509.tif 000007
【図６】
2004233509.tif 000008
【図７】
2004233509.tif 000009
【図８】
2004233509.tif 000010
【図９】
2004233509.tif 000011
【図１０】
2004233509.tif 000012
【図１１】
2004233509.tif 000013
【図１２】
2004233509.tif 000014
【図１３】
2004233509.tif 000015
【図１４】
2004233509.tif 000016
【図１５】
2004233509.tif 000017